(57)【要約】【課題】区別すべき紙幣を効率的に区別して処理することが可能な紙葉類処理装置を提供すること。【解決手段】紙葉類処理装置は、紙葉類に付された記番号を識別する識別部と、前記識別部によって識別された前記記番号、及び、複数の前記記番号と前記記番号の少なくとも１つに関連付けられた付加情報とを含む記番号リストに基づいて、前記紙葉類の判別を実行する制御部と、を備える。【選択図】図２Ａ
2019101867.tif 000002
【特許請求の範囲】
【請求項１】
紙葉類に付された記番号を識別する識別部と、
前記識別部によって識別された前記記番号、及び、複数の前記記番号と前記記番号の少なくとも１つに関連付けられた付加情報とを含む記番号リストに基づいて、前記紙葉類の判別を実行する制御部と、を備える、
紙葉類処理装置。
【請求項２】
前記制御部は、前記識別部によって識別された前記記番号と一致する前記記番号リスト中の前記記番号に前記付加情報が関連付けられている場合に、前記紙葉類は前記付加情報に対応するものであると判別する、
請求項１に記載の紙葉類処理装置。
【請求項３】
前記記番号リストは、複数種類の前記付加情報を含む、
請求項１又は２に記載の紙葉類処理装置。
【請求項４】
前記付加情報は、前記紙葉類の真偽に関する情報である、
請求項１から３のいずれかに記載の紙葉類処理装置。
【請求項５】
前記付加情報は、前記紙葉類の真偽の確からしさに関する情報である、
請求項１から４のいずれかに記載の紙葉類処理装置。
【請求項６】
前記付加情報は、前記紙葉類の盗難に関する情報である、
請求項１から５のいずれかに記載の紙葉類処理装置。
【請求項７】
複数の搬送先に接続された搬送部を更に備え、
前記制御部は、前記判別の結果に基づいて、前記複数の搬送先の中から１つの搬送先を選択する、
請求項１から６のいずれかに記載の紙葉類処理装置。
【請求項８】
前記制御部は、前記記番号リストの中の特定の記番号について前記判別を実行する、
請求項１から７のいずれかに記載の紙葉類処理装置。
【請求項９】
前記特定の記番号は、特定の前記付加情報に関連付けられた前記記番号である、
請求項８に記載の紙葉類処理装置。
【請求項１０】
前記制御部は、前記紙葉類処理装置の使用状況に基づいて、前記判別を実行する、
請求項１から９のいずれかに記載の紙葉類処理装置。
【請求項１１】
前記制御部は、前記紙葉類処理装置が特定の処理を実行する際に、前記判別を実行する、
請求項１から１０のいずれかに記載の紙葉類処理装置。
【請求項１２】
請求項１から１１のいずれかに記載の紙葉類処理装置である第１の紙葉類処理装置と、
請求項１から１１のいずれかに記載の紙葉類処理装置であって、前記第１の紙葉類処理装置とネットワークを介して接続されている第２の紙葉類処理装置とを備え、
前記第１の紙葉類処理装置が備える制御部は、前記第１の紙葉類処理装置が備える識別部による識別結果に基づいて、前記判別を実行し、
前記第２の紙葉類処理装置が備える制御部は、前記ネットワークを介して受け取った前記第１の紙葉類処理装置が備える識別部による識別結果に基づいて、前記判別を実行する、
紙葉類処理システム。
【請求項１３】
前記第１の紙葉類処理装置が備える制御部が前記判別を実行する際に基礎とする前記記番号リストと、前記第２の紙葉類処理装置が備える制御部が前記判別を実行する際に基礎とする前記記番号リストとは、互いに異なる、
請求項１２に記載の紙葉類処理システム。
【請求項１４】
前記第１の紙葉類処理装置が備える制御部は、前記第２の紙葉類処理装置が備える制御部が前記判別を実行する際に基礎とする前記記番号リストに関する情報である他装置情報を記憶しており、前記他装置情報に基づいて、前記第１の紙葉類処理装置が備える識別部による識別結果を、前記ネットワークを介して、前記第２の紙葉類処理装置に送信する、
請求項１２又は１３に記載の紙葉類処理システム。
【請求項１５】
前記第１の紙葉類処理装置は、前記ネットワークを介して、前記第２の紙葉類処理装置による前記判別の結果に関する情報を受信する、
請求項１２から１４のいずれかに記載の紙葉類処理システム。
【発明の詳細な説明】
【技術分野】
【０００１】
本発明は、紙葉類を処理する紙葉類処理装置、及びそのような紙葉類処理装置を備える紙葉類処理システムに関する。
【背景技術】
【０００２】
従来、偽券等の特定の紙幣をその他の紙幣と区別して処理する紙葉類処理装置が実用化されている。
【０００３】
このような紙葉類処理装置は、例えば特許文献１に開示されているように、区別すべき紙幣に付された記番号のリストである記番号リストを用いて、区別すべき紙幣を区別して処理している。
【先行技術文献】
【特許文献】
【０００４】
【特許文献１】特開２０１３−２１８４２０号公報
【発明の概要】
【発明が解決しようとする課題】
【０００５】
本発明は、区別すべき紙葉類を区別して行う紙葉類処理を効率的に行うことを課題とする。
【課題を解決するための手段】
【０００６】
本発明に係る紙葉類処理装置は、紙葉類に付された記番号を識別する識別部と、前記識別部によって識別された前記記番号、及び、複数の前記記番号と前記記番号の少なくとも１つに関連付けられた付加情報とを含む記番号リストに基づいて、前記紙葉類の判別を実行する制御部と、を備える。
【発明の効果】
【０００７】
本発明によれば、区別すべき紙葉類を区別して行う紙葉類処理を効率的に行うことができる。
【図面の簡単な説明】
【０００８】
【図１】一実施形態に係る紙葉類処理装置の模式図。
【図２Ａ】記番号リストの一例。
【図２Ｂ】記番号リストの他の例。
【図３】記番号リストの他の例。
【図４】記番号リストの他の例。
【図５】記番号リストの他の例。
【図６】紙幣処理システムの模式図。
【図７Ａ】バージョンアップ前の記番号リストの例。
【図７Ｂ】バージョンアップ後の記番号リストの例。
【発明を実施するための形態】
【０００９】
以下、本発明について、図面を参照しながら詳細に説明する。なお、以下の説明において、紙葉類処理装置の「前」とは、紙葉類の投入及び排出の少なくとも一方の操作を後に説明する開口部を介して行う操作者側を意味し、紙葉類処理装置の「後」とは、その反対側を意味する。また、紙葉類処理装置の「左」とは、前記操作者から見て左側を意味し、紙葉類処理装置の「右」とは、前記操作者からみて右側を意味する。
【００１０】
また、本明細書では、「正常紙幣」とは、後述する識別部によって識別可能な紙幣をいい、「リジェクト紙幣」とは、識別部で識別不能な紙幣をいう。「正券」とは、正常紙幣のうち、汚れや破れ等が比較的少ない状態の紙幣をいい、「損券」とは、正常紙幣のうち、汚れや破れ等が比較的多い状態の紙幣をいう。
【００１１】
また、本明細書では、「偽券」とは、正常紙幣のうち、正規の発行機関によって発行されたものではない紙幣（正確には、紙幣を模した紙幣ではない紙片）をいう。「真券」とは、正常紙幣のうち、正規の発行機関によって発行された紙幣をいう。「盗難券」とは、真券のうち、盗難されたり身代金として引き渡されたりした紙幣をいう。
【００１２】
図１に本発明の第１の実施形態に係る紙葉類処理装置としての紙幣処理装置１を示す。図１において、左側が紙幣処理装置１の前方、右側が同後方である。
【００１３】
紙幣処理装置１は、紙葉類としての紙幣を入出金する紙幣入出金機である。紙幣処理装置１は、処理部１０及び処理部１０の下方に設けられた収納庫２０を備える。
【００１４】
処理部１０は上部筐体１１を有する。上部筐体１１の上部前方には、入金口（開口）１２ａ、出金口（開口）１３ａ及びリジェクト口（開口）１４ａが設けられている。上部筐体１１内には、搬送部１５、識別部１６、一時保留部１７、第１リジェクトボックス１８及び制御部１９が配置されている。
【００１５】
入金口１２ａの近傍には所定の周期で紙幣を１枚ずつ搬送部１５に繰り出す紙幣繰り出し機構（図示略）が配置されている。入金口１２ａと紙幣繰り出し機構によって入金部１２が構成されている。
【００１６】
出金口１３ａの近傍には、紙幣を積み重ねる集積機構（図示略）が配置されている。出金口１３ａと集積機構によって出金部１３が構成されている。
【００１７】
リジェクト口１４ａの近傍には、紙幣を積み重ねる集積機構（図示略）が配置されている。リジェクト口１４ａと集積機構によってリジェクト部１４が構成されている。
【００１８】
なお、処理部１０の上部前方には、紙幣の入金及び出金の両方が行われる開口が設けられるとともに、この開口の周囲に紙幣繰り出し機構及び集積機構が配置されることによって、入出金部が設けられていてもよい。本明細書では、入金部１２、出金部１３、入出金部及びリジェクト部１４を開口部と総称する。
【００１９】
搬送部１５は、紙幣を所定の搬送速度で搬送する。搬送部１５は、紙幣を搬送するベルト機構やローラ機構によって構成されている。搬送部１５は、紙幣を双方向に搬送可能とするループ状搬送路と、このループ状搬送路から分岐する複数の分岐路とから構成されている。各分岐路は、それぞれ、ループ状搬送路と入金部１２、出金部１３、リジェクト部１４、並びに、後述する一時保留部１７、第１リジェクトボックス１８、第２リジェクトボックス２４、第１収納部２２及び第２収納部２３とを接続する。
【００２０】
識別部１６は、画像センサ、光学センサ、磁気センサ等のセンサを備えており、搬送部１５によって搬送される紙幣の真偽、金種、正損等を識別する。後述するように、識別部１６は、一次識別と二次識別の２種類の識別を行う。
【００２１】
一時保留部１７は、紙幣を一時的に保留する。一時保留部１７は、紙幣を１枚ずつ取り込んで収納し、収納している紙幣を１枚ずつ繰り出す。一時保留部１７は、例えば、複数の紙葉類が回転体に巻き取られた状態で収納される巻き取り式の収納部で構成することができる。
【００２２】
第１リジェクトボックス１８は、容器であり、識別部１６によって、他の紙幣と区別して処理すべき所定の紙幣（例えば偽券）であると識別された紙幣を収納する。
【００２３】
制御部１９は、少なくともＣＰＵとメモリを備えている。制御部１９は、搬送部１５を介して、所定の位置に紙幣が搬送されるように、紙幣処理装置１を構成する各部を制御することで、紙幣処理装置１を統括制御する。メモリには、紙幣処理装置１を統括制御するためにＣＰＵによって実行されるプログラム、及び、区別して処理すべき紙幣に付された記番号のリストである記番号リスト等が記憶されている。
【００２４】
収納庫２０は下部筐体２１を有する。
【００２５】
下部筐体２１内の前方側には、第１収納部２２が配置されている。第１収納部２２は、複数の紙葉類が積層状態で収納される積層式の収納部である。第１収納部２２は、搬送部１５の分岐路と接続されている。第１収納部２２を、紙幣処理装置１から回収される紙幣が収納される回収部として使用することも可能である。
【００２６】
下部筐体２１内の後方側には、８つの第２収納部２３が配置されている。第２収納部２３は、複数の紙葉類が回転体に巻き取られた状態で収納される巻き取り式の収納部である。各第２収納部２３は、搬送部１５の分岐路と接続されている。
【００２７】
下部筐体２１内、例えば第１収納部２２と第２収納部２３との間には、第２リジェクトボックス２４が配置されている。第２リジェクトボックス２４は、容器であり、識別部１６によって、他の紙幣と区別して処理すべき所定の紙幣（例えば偽券）であると識別された紙幣を収納する。第２リジェクトボックス２４は、搬送部１５の分岐路と接続されている。
【００２８】
続いて、本実施形態に係る紙幣処理装置１が紙幣処理の際に用いる記番号リストについて説明する。記番号リストとは、制御部１９が有するＣＰＵ等が処理可能な構造を有するデータであり、所定のプログラムで処理されることで、例えば図２Ａに示されるような表形式で表される。以下、便宜的に、データ及びデータが処理されて表形式で表されているものを記番号リストと総称する。
【００２９】
なお、以下の説明では、記番号リストは、制御部１９が有するメモリに記憶されているものとするが、紙幣処理装置１と通信可能な外部の記憶装置に記憶されていてもよい。この場合、紙幣処理装置１は、外部の記憶装置から記番号リストを受け取り、これを用いて、紙幣処理を行うことができる。
【００３０】
図２Ａには、記番号リストの一例である記番号リスト１００が示されている。記番号リスト１００は、列１０１と列１０２とから構成されている。
【００３１】
列１０１には、区別して処理する必要がある又はその可能性がある紙幣に付されている記番号が列挙されている。区別して処理する必要がある紙幣とは、例えば偽券である。
【００３２】
列１０２には、列１０１に列挙されている記番号に関連づけられている付加情報が列挙されている。列１０２に列挙されている付加情報は、偽券又は盗難券に関する付加情報である。
【００３３】
このような記番号リスト１００を用いて、紙幣処理装置１は、例えば次のように入金処理を実行する。なお、以下の説明では、一次識別の後に二次識別が行われることとされているが、これらの順序は逆であってもよい。
【００３４】
まず、入金部１２が紙幣を取り込む。搬送部１５は、取り込まれた紙幣を識別部１６に搬送する。識別部１６及び制御部１９は、紙幣を一次識別する。一次識別とは、識別部１６が、センサを用いて、紙幣から各種情報を読み取り（識別し）、これらの各種情報を用いて、制御部１９が、紙幣の真偽、金種及び正損等を判別する処理である。
【００３５】
一次識別でどのような紙幣か判別できない紙幣は、後に説明する二次識別の結果にかかわらず、リジェクト紙幣と判別され、例えば、リジェクト部１４に搬送される。後に説明する二次識別の前に一次識別が行われる場合、一次識別でリジェクト紙幣と判別された紙幣についての二次識別は、行われなくてもよい。一次識別で正常紙幣と判別された紙幣については、二次識別の結果と合わせて、総合的に紙幣の判別が行われる。
【００３６】
一次識別に続いて、二次識別が行われる。二次識別とは、識別部１６が、画像センサ等を用いて、紙幣の記番号を読み取り（識別し）、制御部１９が、読み取られた記番号と、制御部１９のメモリが記憶している記番号リスト１００とに基づいて、紙幣が区別対象であるか否かを判別する処理である。具体的には、制御部１９は、識別部１６によって読み取られた記番号と一致する列１０１中の記番号に付加情報が関連付けられている場合に、紙幣は付加情報に対応するものであり、他の紙幣とは区別して処理すべきものであると判別する。
【００３７】
二次識別の結果、偽券又は盗難券という付加情報と関連づけられている記番号が付されていると判別された紙幣、すなわち、偽券又は盗難券と判別された紙幣は、一次識別でそのように判別されなかったとしても、他の紙幣とは区別して処理される。つまり、これらの紙幣は、例えば、第１リジェクトボックス１８又は第２リジェクトボックス２４に搬送され、他の紙幣とは区別されて収納される。
【００３８】
なお、一次識別で偽券と判別され、且つ、二次識別で盗難券という付加情報と関連づけられている記番号が付されていると判別された紙幣は、総合的に、盗難券（偽券ではなく真券）と判定される。（つまり、二次識別の結果が一次識別の結果に優先する。）そのように判定された紙幣は、盗難券を収納するように設定されている第１リジェクトボックス１８又は第２リジェクトボックス２４に搬送して、他の紙幣と区別して収納することができる。
【００３９】
二次識別で区別対象と判別されなかった正常紙幣は、一次識別の結果に基づいて、真券または偽券と判別される。一次識別で真券と判別され、二次識別で区別対象と判別されなかった紙幣は、総合的に真券と判別され、搬送部１５によって、金種等の種類別に物理的に分けられて、第１収納部２２又は第２収納部２３に搬送され、収納される。一次識別で偽券と判別され、二次識別で区別対象と判別されなかった紙幣は、総合的に偽券と判別される。
【００４０】
本実施形態に係る紙幣処理装置１によれば、偽券に関する記番号リストと盗難券に関する記番号リストという２つの記番号リストではなく、１つの記番号リスト１００を用いて、偽券及び盗難券という２種類の区別すべき紙幣を区別して処理することができる。よって、簡便かつ効率的に、紙幣処理を行うことができる。
【００４１】
また、偽券と見なされた紙幣と、盗難券と見なされた紙幣を、物理的に分けて収納してもよい。例えば、偽券と見なされた紙幣を第１リジェクトボックス１８に収納し、盗難券と見なされた紙幣を第２リジェクトボックス２４に収納してもよい。入金処理段階で予め分別しておくと、偽券と盗難券とでその後の取扱方が異なる場合に、それぞれ効率よく取り扱うことができる。
【００４２】
なお、図２Ａに示される記番号リスト１００は、偽券及び盗難券という２種類の付加情報を含んでいるが、例えば図２Ｂに示される記番号リスト２００のように、明確に表される付加情報は１種類であってもよい。
【００４３】
図２Ｂに示される記番号リスト２００は、列２０１と列２０２とから構成されている。記番号リスト２００は、少なくとも２種類の用い方ができる。
【００４４】
１つの用い方は、列２０１に偽券に関する記番号のみを列挙する場合である。この場合、列２０２の対応する欄が空欄である記番号（ＡＡＡ１２３４５、ＢＢＢ２３４５６及びＣＣＣ３４５６７）は、偽券に関する記番号である。また、列２０２の対応する欄に盗難券と記載されている記番号（ＤＤＤ４５６７８）は、偽券であり且つ盗難券に関する記番号である。
【００４５】
もう１つの用い方は、列２０１に偽券に関する記番号と盗難券に関する記番号を列挙する場合である。この場合、列２０２の対応する欄が空欄である記番号は、偽券に関する記番号である。また、列２０２の対応する欄に盗難券と記載されている記番号は、盗難券である。
【００４６】
いずれの用い方を採用した場合も、記番号リスト２００は、偽券及び盗難券という２種類の付加情報を実質的に含んでおり、図２Ａに示される記番号リスト１００を用いた場合と同様に、簡便かつ効率的に、紙幣処理を行うことができる。
【００４７】
なお、上述の一次識別及び二次識別は、第１収納部２２又は第２収納部２３に収納されている紙幣を出金する出金処理時、又は、これらの収納部に収納されている紙幣を精査する精査処理時に行われてもよい。あるいは、上述の一次識別及び二次識別は、紙幣処理装置１内に収納されている紙幣を回収する回収処理時に行われてもよい。
【００４８】
続いて、他の記番号リストを用いて紙幣処理する態様について説明する。図３には、記番号リストの他の例である記番号リスト３００が示されている。記番号リスト３００は、列３０１、列３０２、列３０３及び列３０４から構成されている。
【００４９】
列３０１には、区別して処理する必要がある又はその可能性がある紙幣に付されている記番号が列挙されている。区別して処理する必要がある紙幣とは、例えば偽券である。
【００５０】
列３０２には、列３０１に列挙されている記番号に関連づけられている付加情報が列挙されている。列３０２に列挙されている付加情報は、偽券又は盗難券に関する付加情報である。
【００５１】
列３０３には、列３０１に列挙されている記番号に関連づけられている付加情報が列挙されている。列３０３に列挙されている付加情報は、偽券の確からしさに関する付加情報である。列３０３における「１」という付加情報は、対応する記番号が付された紙幣は偽券レベル１、すなわち、偽券である可能性がある、ということを示す情報である。列３０３における「２」という付加情報は、対応する記番号が付された紙幣は偽券レベル２、すなわち、偽券レベル１の紙幣よりも偽券である可能性が高い、ということを示す情報である。列３０３における「３」という付加情報は、対応する記番号が付された紙幣は偽券レベル３、すなわち、偽券レベル２の紙幣よりも偽券である可能性がさらに高く、偽券であると断定できる、ということを示す情報である。
【００５２】
列３０４には、列３０１に列挙されている記番号に関連づけられている付加情報が列挙されている。列３０４に列挙されている付加情報は、盗難券の種類に関する付加情報である。列３０４における「１」という付加情報は、対応する記番号が付された紙幣は盗難マークが付されていない盗難券である、ということを示す情報である。列３０４における「２」という付加情報は、対応する記番号が付された紙幣は盗難マークが付されている盗難券である、ということを示す情報である。列３０４における「３」という付加情報は、対応する記番号が付された紙幣は身代金として使用された盗難券である、ということを示す情報である。例えば、ＡＴＭのような紙幣処理装置は、内部に収納した紙幣の記番号を記憶している場合がある。このようなＡＴＭから紙幣が盗難された場合、盗難された紙幣の記番号を特定することができるので、特定された記番号に付加情報「１」を関連付けることができる。身代金として使用された盗難券も同様である。また、内部に収納した紙幣の記番号を記憶するとともに、内部に収納した紙幣に不正なアクセスが試みられたことを検知して、紙幣に盗難マークを付す機能を有する紙幣処理装置がある。このような紙幣処理装置から盗難された、または盗難が試みられた紙幣の記番号を特定し、特定された記番号に付加情報「２」を関連付けることができる。実用されている盗難マークの例としては、ダイインクと呼ばれる特殊インクを紙幣に付着させたものがある。
【００５３】
このような記番号リスト３００を用いて紙幣処理を行えば、必要に応じて、区別すべき紙幣をより多種類に区別して、例えば、表１に示されるように紙幣を物理的に分けて取り扱うことができる。
【００５４】
【表１】
2019101867.tif 000003
【００５５】
表１には、紙幣の取扱方が３パターン例示されている。パターン１では、真券は、金種等に応じて、予め定められている第１収納部２２又は第２収納部２３に収納される。偽券レベル１、偽券レベル２及び偽券レベル３と判別された紙幣は、リジェクト部１４から排出される。各種盗難券と判別された紙幣は、第１リジェクトボックス１８に収納される。リジェクト紙幣と判別された紙幣は、リジェクト部１４から排出される。
【００５６】
パターン１によれば、偽券である可能性が少しでもある紙幣は、入金を行った者に返却しつつ、盗難券は、確実に紙幣処理装置１内に取り込み、真券と物理的に区別して保管することができる。
【００５７】
パターン２では、真券は、金種等に応じて、予め定められている収納部（例えば第２収納部２３）に収納される。偽券レベル１と判別された紙幣は、回収すべき紙幣が収納される回収庫（例えば第１収納部２２）に収納される。偽券レベル２及び偽券レベル３と判別された紙幣は、第１リジェクトボックス１８に収納される。各種盗難券と判別された紙幣は、第１リジェクトボックス１８に収納される。リジェクト紙幣と判別された紙幣は、リジェクト部１４から排出される。
【００５８】
パターン２によれば、偽券の可能性があるものの、その確度が低い紙幣は、真券であるとして入金を許可しつつ、後に、出金処理時に出金され、この紙幣を入金した者以外の者の手に渡ることを防止することができる。また、偽券である確度が高い紙幣及び各種盗難券は、確実に紙幣処理装置１内に取り込み、真券と物理的に区別して保管することができる。
【００５９】
パターン３では、真券は、金種等に応じて、予め定められている第１収納部２２又は第２収納部２３に収納される。偽券レベル１、偽券レベル２及び偽券レベル３と判別された紙幣は、第２リジェクトボックス２４に収納される。各種盗難券と判別された紙幣は、第１リジェクトボックス１８に収納される。リジェクト紙幣と判別された紙幣は、リジェクト部１４から排出される。
【００６０】
パターン３によれば、偽券である可能性が少しでもある紙幣と、各種盗難券とを、物理的に区別しつつ、確実に紙幣処理装置１内に取り込み、真券と物理的に区別して保管することができる。
【００６１】
続いて、他の記番号リストを用いて紙幣処理する態様について説明する。図４には、記番号リストの一例である記番号リスト４００が示されている。記番号リスト４００は、列４０１、列４０２及び列４０３から構成されている。
【００６２】
列４０１には、区別して処理する必要がある又はその可能性がある紙幣に付されている記番号が列挙されている。区別して処理する必要がある紙幣とは、例えば偽券である。
【００６３】
列４０２には、列４０１に列挙されている記番号に関連づけられている付加情報が列挙されている。列４０２に列挙されている付加情報は、紙幣が属する通貨の種類に関する付加情報である。
【００６４】
列４０３には、列４０１に列挙されている記番号に関連づけられている付加情報が列挙されている。列４０３に列挙されている付加情報は、紙幣を発行した機関（例えば銀行）に関する付加情報である。
【００６５】
このような記番号リスト４００を用いることで、紙幣処理装置１は、次のような紙幣処理を行うことができる。例えば、列４０１に列挙されている記番号が、偽券に付されている記番号である場合を考える。この場合において、列４０２のＡ国という付加情報に関連づけられている記番号が付された紙幣を他の紙幣と区別して処理すれば、Ａ国の紙幣を模して偽造された偽券を他の紙幣と区別して処理することができる。
【００６６】
あるいは、列４０３のＸ銀行という付加情報に関連づけられている記番号が付された紙幣を他の紙幣と区別して処理すれば、Ｘ銀行によって発行された紙幣を模して偽造された偽券を他の紙幣と区別して処理することができる。
【００６７】
続いて、更に他の記番号リストを用いて紙幣処理する態様について説明する。図５には、記番号リストの一例である記番号リスト５００が示されている。記番号リスト５００は、列５０１、列５０２及び列５０３から構成されている。
【００６８】
列５０１には、区別して処理する必要がある又はその可能性がある紙幣に付されている記番号が列挙されている。区別して処理する必要がある紙幣とは、例えば偽券である。
【００６９】
列５０２には、列５０１に列挙されている記番号に関連づけられている付加情報が列挙されている。列５０２に列挙されている付加情報は、紙幣が属する通貨の種類に関する付加情報である。
【００７０】
列５０３には、列５０１に列挙されている記番号が付されている紙幣を区別する必要があるか否かを示す付加情報が列挙されている。紙幣処理装置１の使用条件によっては、記番号リスト５００に含まれている全ての記番号を区別する必要がない場合がある。区別する必要がある記番号の列５０３には、例えば「要」という情報が付与され、区別する必要がない記番号の列５０３には、例えば「不要」という情報が付与される。列５０３の付加情報が「不要」とされた記番号は、二次識別において、読み取った記番号との照合処理は行われない。なお、必要な場合は、記番号リスト５００に含まれている記番号全てを区別不要とすることも可能である。
【００７１】
紙幣処理装置１は、列５０１に列挙されている特定の記番号が直接指定されることによって、記番号リスト５００の中の特定の記番号について、紙幣にその記番号が付されているか否かを判別することができる。逆に、直接指定された特定の記番号が紙幣に付されているか否かの判別を紙幣処理装置１にさせないこともできる。
【００７２】
また、紙幣処理装置１は、他の付加情報に基づいて列５０１に列挙されている特定の記番号が指定されることによって、記番号リスト５００の中の特定の記番号について、紙幣にその記番号が付されているか否かを判別することができる。逆に、他の付加情報に基づいて指定された特定の記番号が紙幣に付されているか否かの判別を紙幣処理装置１にさせないようにすることもできる。記番号リスト５００に基づけば、Ａ国の紙幣の記番号について、紙幣にその記番号が付されているか否かの判別が行われる。逆に、Ｂ国の紙幣の記番号について、紙幣にその記番号が付されているか否かの判別は行われない。
【００７３】
以上から明らかなように、紙幣処理装置１は、記番号リストに含まれる特定の記番号について、紙幣にその記番号が付されているか否かを判別することができる。言い換えれば、紙幣処理装置１は、記番号リストに含まれる特定の記番号について、二次識別を行うか否かを設定することができる。
【００７４】
また、紙幣処理装置１は、複数の記番号リストを記憶することができる。この場合、それぞれの記番号リスト毎に、二次識別を行うか否かを設定することができる。紙幣処理装置１は、複数の記番号リストの内の特定の記番号リストが直接指定されることによって、特定の記番号リストに基づいて二次識別を行うことができる。逆に、直接指定された特定の記番号リストに基づいて二次識別を紙幣処理装置１に行わせないこともできる。
【００７５】
また、紙幣処理装置１は、他の付加情報に基づいて複数の記番号リストの内の特定の記番号リストが指定されることによって、特定の記番号リストに基づいて二次識別を行うことができる。逆に、他の付加情報に基づいて指定された特定の記番号リストに基づいて二次識別を紙幣処理装置１に行わせないこともできる。例えば、記番号リストの付加情報に、後述の作業者や紙幣処理装置設置場所が含まれる場合、それらの付加情報に基づいて、二次識別に用いる記番号リスト、または二次識別に用いない記番号リストを特定してもよい。
【００７６】
なお、各記番号リスト１００〜５００が含む付加情報は、これまでに説明されたものに代えて又は加えて、次のようなものであってもよい。これらが例示であることは言うまでもない。
【００７７】
（１）紙幣の新旧
付加情報として紙幣の新旧（改刷前の旧紙幣か改刷後の新紙幣かということ）に関する情報を含む場合、紙幣を新旧に区別して処理することができる。例えば、新紙幣のみを処理対象とすることや、逆に、旧紙幣のみを処理対象とすることができる。あるいは、例えば旧紙幣に関してのみ、偽券であるか否かで区別して紙幣を処理することができる。
【００７８】
（２）作業者
付加情報として紙幣処理装置１を操作して紙幣処理作業を実行する作業者に関する情報を含む場合、作業者に応じて、区別して処理する紙幣を変更することができる。例えば、紙幣処理装置１が銀行に設置されており、テラーと店舗顧客の両方が操作する可能性がある場合、店舗顧客が作業する場合のみ、偽券であるか否かで区別して紙幣を処理することができる。なお、誰が操作しているかという情報は、操作開始時に入力されるＩＤ等から得ることが可能である。
【００７９】
（３）紙幣処理機設置場所
付加情報として紙幣処理装置１の設置場所に関する情報を含む場合、設置場所に応じて、区別して処理する紙幣を変更することができる。例えば、紙幣処理装置１が小売店舗に設置され、不特定多数の者によって操作される可能性がある場合のみ、偽券であるか否かで区別して紙幣を処理することができる。
【００８０】
ところで、記番号リストは複数種類存在しうる。例えば、一地域で偽造された偽券に関する記番号リストが、その一地域で作成され利用され、他地域で偽造された偽券に関する記番号リストが、その他地域で作成され利用されうる。このような場合であっても、偽券は偽造された一地域から他地域に持ち込まれて使用される可能性がある。
【００８１】
よって、紙幣処理装置１は、全ての偽券を区別して処理するためには、全ての記番号リストを制御部１９が有するメモリに記憶させておく必要がある。しかしながら、記番号リストの数が多くなればなるほど、全ての記番号リストを１つの紙幣処理装置１が有するメモリに記憶させておくことは困難となる。しかも、同じ記番号リストであっても、バージョンアップが行われ、内容が変化する可能性がある。全ての記番号リストの最新バージョンを１つの紙幣処理装置１が有するメモリに記憶させておくことは、一層困難である。
【００８２】
このような不都合を解消することができるものが、図６に示される紙幣処理システム２である。紙幣処理システム２は、ネットワーク３を介して接続された４つの紙幣処理装置１Ａ〜１Ｄから構成されている。各紙幣処理装置１Ａ〜１Ｄは、ネットワーク３を介して互いに通信可能である。各紙幣処理装置１Ａ〜１Ｄは、それぞれ、上で説明した紙幣処理装置１と同様に構成されている。つまり、各紙幣処理装置１Ａ〜１Ｄは、それぞれ、識別部１６Ａ〜１６Ｄ、一時保留部１７Ａ〜１７Ｄ、及び、制御部１９Ａ〜１９Ｄ等を備えている。なお、紙幣処理システム２を構成する紙幣処理装置の数は、２以上であればいくつであってもよいことは言うまでもない。
【００８３】
紙幣処理装置１Ａが備える制御部１９Ａは、メモリ内に記番号リスト１００Ａを記憶している。記番号リスト１００Ａの構成及び内容は、上で説明した記番号リスト１００と同じである。
【００８４】
紙幣処理装置１Ｂが備える制御部１９Ｂは、メモリ内に記番号リスト１００Ｂを記憶している。記番号リスト１００Ｂの構成は、上で説明した記番号リスト１００と同じである。ただし、列挙されている記番号は、記番号リスト１００中に列挙されているものとは異なる。
【００８５】
紙幣処理装置１Ｃが備える制御部１９Ｃは、メモリ内に記番号リスト１００Ｃを記憶している。記番号リスト１００Ｃの構成は、上で説明した記番号リスト１００と同じである。ただし、列挙されている記番号は、記番号リスト１００中に列挙されているものとは異なる。
【００８６】
紙幣処理装置１Ｄが備える制御部１９Ｄは、メモリ内に記番号リストを記憶していない。
【００８７】
なお、各記番号リスト１００Ａ〜１００Ｃは、含んでいる記番号が互いに全く異なっていてもよいし、一部が重複していてもよい。また、各記番号リスト１００Ａ〜１００Ｃが含んでいる付加情報は、互いに同じものであってもよいし、異なるものであってもよい。また、各記番号リスト１００Ａ〜１００Ｃは、バージョンが異なる同じ記番号リストであってもよい。なお、記番号リストのバージョンについては後述する。
【００８８】
以上のように構成された紙幣処理システムにおいては、紙幣処理装置１Ａが紙幣を処理する場合、紙幣処理装置１Ａが備える識別部１６Ａ及び制御部１９Ａが、一次識別を行う。続いて、識別部１６Ａ及び制御部１９Ａは、二次識別を行う。この際、識別部１６Ａによって読み取られた記番号は、ネットワーク３を介して紙幣処理装置１Ｂ及び紙幣処理装置１Ｃに送られる。
【００８９】
紙幣処理装置１Ｂは、この記番号を受け取ると、この記番号を用いて、二次識別と同様の識別処理を行う。すなわち、紙幣処理装置１Ｂが備える制御部１９Ｂは、制御部１９Ｂが有するメモリに記憶されている記番号リスト１００Ｂ内に、受け取った記番号が含まれていないか照合する。すなわち、受け取った記番号が付された紙幣が、区別対象であるか否かを判別する。
【００９０】
受け取った記番号が、記番号リスト１００Ｂに含まれている場合、紙幣処理装置１Ｂは、含まれている旨、及び、この記番号と関連づけられている付加情報に関する情報を、紙幣処理装置１Ａに送る。受け取った記番号が、記番号リスト１００Ｂ内に含まれていない場合、紙幣処理装置１Ｂは、含まれていない旨に関する情報を、紙幣処理装置１Ａに送る。
【００９１】
紙幣処理装置１Ｃも、記番号リスト１００Ｃを用いて、紙幣処理装置１Ｂと同様に機能する。
【００９２】
紙幣処理装置１Ａは、紙幣処理装置１Ａが自ら行った二次識別の結果、紙幣処理装置１Ｂから受け取った情報、及び、紙幣処理装置１Ｃから受け取った情報に基づいて、識別した紙幣が、他の紙幣と区別して処理する必要がある紙幣か否かの最終的な判定を行う。判定の結果どのように紙幣を処理するかは、紙幣処理装置１に関して先に説明したとおりである。
【００９３】
このように、紙幣処理システム２によれば、複数の紙幣処理装置１Ａ〜１Ｃを用いて、判別処理を分散させて効率よく行うことができる。
【００９４】
なお、紙幣処理装置１Ｂ及び紙幣処理装置１Ｃから情報を受け取るのに比較的長時間を有する場合は、処理対象の紙幣を一時保留部１７Ａに一旦格納しておけばよい。紙幣処理装置１Ｂ及び紙幣処理装置１Ｃから情報を受け取った後に、それらの情報に基づいて、この紙幣を適切に処理することができる。紙幣処理装置１Ｂ及び紙幣処理装置１Ｃにおける情報処理速度、並びに、ネットワーク３を介した通信速度が十分高速である場合に、紙幣処理装置１Ａが、実質的にリアルタイムに紙幣処理を行うことができるということは、言うまでもない。
【００９５】
このような紙幣処理システム２によれば、必要な全ての記番号リストを１つの紙幣処理装置１Ａがメモリに記憶させていなくても、紙幣を適切に処理することができる。
【００９６】
また、紙幣処理装置１Ｄは、次のように紙幣処理を行うことができる。まず、識別部１６Ｄ及び制御部１９Ｄが一次識別を行い、紙幣から記番号を読み取る。続いて、紙幣から読み取られた記番号は、ネットワーク３を介して紙幣処理装置１Ａ〜１Ｃに送られる。
【００９７】
紙幣処理装置１Ａは、この記番号を受け取ると、この記番号を用いて、二次識別と同様の識別処理を行う。すなわち、紙幣処理装置１Ａが備える制御部１９Ａは、制御部１９Ａが有するメモリに記憶されている記番号リスト１００Ａ内に、受け取った記番号が含まれていないか照合する。すなわち、受け取った記番号が付された紙幣が、区別対象であるか否かを判別する。
【００９８】
受け取った記番号が、記番号リスト１００Ａに含まれている場合、紙幣処理装置１Ａは、含まれている旨、及び、この記番号と関連づけられている付加情報に関する情報を、紙幣処理装置１Ｄに送る。受け取った記番号が、記番号リスト１００Ａ内に含まれていない場合、紙幣処理装置１Ａは、含まれていない旨に関する情報を、紙幣処理装置１Ｄに送る。
【００９９】
紙幣処理装置１Ｂ及び紙幣処理装置１Ｃも、記番号リスト１００Ｂ及び記番号リスト１００Ｃを用いて、紙幣処理装置１Ａと同様に機能する。
【０１００】
紙幣処理装置１Ｄは、紙幣処理装置１Ａ〜１Ｃから受け取った情報に基づいて、識別した紙幣が、他の紙幣と区別して処理する必要がある紙幣か否かの最終的な判定を行う。判定の結果どのように紙幣を処理するかは、紙幣処理装置１に関して先に説明したとおりである。
【０１０１】
すなわち、紙幣処理装置１Ｄは、紙幣処理システム２を利用することで、記番号リストをメモリに記憶させていないにもかかわらず、区別して処理する必要がある紙幣を、他の紙幣と区別して処理することができる。
【０１０２】
また、紙幣処理装置１Ａが備える制御部１９Ａは、紙幣処理装置１Ｂ〜１Ｄに関する情報である他装置情報を記憶していてもよい。他装置情報とは、紙幣処理装置１Ｂ〜１Ｄが備える制御部１９Ｂ〜１９Ｄが紙幣処理の際に基礎とする記番号リストに関する情報である。具体的には、他装置情報とは、制御部１９Ｂ及び制御部１９Ｃは、それぞれ記番号リスト１００Ｂ及び記番号リスト１００Ｃを紙幣処理の際に基礎としており、制御部１９Ｄは、紙幣処理の際に基礎とする記番号リストを有していない、という情報である。
【０１０３】
制御部１９Ａがこのような他装置情報を記憶している場合、他装置情報に基づいて、照合すべき記番号リストを記憶している紙幣処理装置を紙幣処理装置１Ｂ〜１Ｄの中から選択した上で、紙幣処理装置１Ａは特定の紙幣処理装置のみに記番号を送ることができる。
【０１０４】
よって、他装置情報を用いることで、判別処理を複数の紙幣処理装置に分散させて効率よく行うことができる。
【０１０５】
また、判別処理を複数の紙幣処理装置に分散させて行う場合、実際に紙幣を処理している例えば紙幣処理装置１Ａは、他の紙幣処理装置１Ｂ等から情報を受け取る前に、暫定的に紙幣処理を行ってしまってもよい。他の紙幣処理装置１Ｂ等から受け取った情報に基づくと暫定的に行った処理が適切ではないという場合には、事後的に適切な処理を行うことができる。
【０１０６】
なお、一次識別の複数の結果を収集し解析することによって、記番号リストの信憑性を高め、バージョンアップすることができる。以下、記番号リストをどのようにバージョンアップするのかについて、図７Ａに示される記番号リスト６００を例に挙げて、説明する。なお、記番号リスト６００の列６０１、列６０２、列６０３及び列６０４は、それぞれ、記番号リスト３００の列３０１、列３０２、列３０３及び列３０４に対応する。
【０１０７】
表２は、複数の紙幣の一次識別結果を示している。
【０１０８】
【表２】
2019101867.tif 000004
【０１０９】
表２には、例えば、「ＯＯＯ１２３４５」という記番号が付された紙幣が、ＹＹＹＹ年１０月１日に、αというメーカーによって製造された紙幣処理装置１Ａによって処理されたことが示されている。また、その際、例えば本来発せられる蛍光が発せられないために、一次識別の結果、この紙幣は偽券であると判別されたことを意味している。
【０１１０】
また、表２には、例えば、「ＰＰＰ２３４５６」という記番号が付された紙幣が、ＹＹＹＹ年１０月２日に、αというメーカーによって製造された紙幣処理装置１Ａによって処理されたことが示されている。また、その際、例えば本来発せられる蛍光とは若干異なる蛍光が発せられないために、一次識別の結果、この紙幣は偽券の疑いがあると判別されたことを意味している。
【０１１１】
このような情報を所定期間収集し集計することで、表３が得られる。
【０１１２】
【表３】
2019101867.tif 000005
【０１１３】
表３には、「ＯＯＯ１２３４５」という記番号が付された紙幣が、偽券であると１回判別され、「ＰＰＰ２３４５６」という記番号が付された紙幣が、偽券の疑いありと１回判別されたという情報が示されている。また、表３には、「ＱＱＱ３４５６７」という記番号が付された紙幣が、偽券であると５回判別され、偽券の疑いありと６回判別されたという情報が示されている。また、表３には、「ＲＲＲ４５６７８」という記番号が付された紙幣が、偽券であると１０回判別され、偽券の疑いありと２０回判別されたという情報が示されている。なお、偽券は単一の判から多数偽造されることがある。よって、同一の記番号が付された偽券が複数の紙幣処理装置によって複数回処理されるということが生じうる。
【０１１４】
この情報と、所定の基準に基づき、記番号リスト６００をバージョンアップすることができる。所定の基準とは、例えば、以下のようなものである。（１）偽券であると１回以上判別される、又は、偽券の疑いありと５回以上判別されると、その記番号が付された紙幣は偽券である可能性がある。（２）偽券であると５回以上判別される、又は、偽券の疑いありと１０回以上判別されると、その記番号が付された紙幣は偽券である可能性が高い。（３）偽券であると１０回以上判別されると、その記番号が付された紙幣は偽券であると断定できる。
【０１１５】
バージョンアップの結果、図７Ｂに示されるように、バージョンアップ前にはリストアップされていなかった「ＯＯＯ１２３４５」という記番号が、列６０１に加えられるとともに、列６０２に示されるように、「偽券」という付加情報が関連づけられ、列６０３に示されるように、「１」という付加情報が関連づけられる。つまり、バージョンアップによって、記番号リスト６００には、「ＯＯＯ１２３４５」という記番号が付された紙幣は偽券である可能性があるという情報が加えられる。
【０１１６】
また、「ＱＱＱ２３４５６」という記番号は、バージョンアップ前には列６０２の「１」という付加情報に関連づけられていたが、バージョンアップ後には「２」という付加情報に関連づけられている。つまり、バージョンアップによって、記番号リスト６００中の「ＱＱＱ２３４５６」という記番号が付された紙幣に関する情報は、「偽券である可能性がある」から「偽券である可能性が高い」に更新される。
【０１１７】
また、「ＲＲＲ４５６７８」という記番号は、バージョンアップ前には列６０２の「２」という付加情報に関連づけられていたが、バージョンアップ後には「３」という付加情報に関連づけられている。つまり、バージョンアップによって、記番号リスト６００中の「ＲＲＲ４５６７８」という記番号が付された紙幣に関する情報は、「偽券である可能性が高い」から「偽券であると断定できる」に更新される。
【０１１８】
なお、「ＰＰＰ２３４５６」という記番号は、このバージョンアップでは、記番号リスト６００に追加されない。
【０１１９】
この手法を用いて、記番号リストを新規に作成することも可能である。
【０１２０】
また、紙幣処理装置１Ａは、どのバージョンのどの記番号リストに基づいて二次識別を行ったか記録しておいてもよい。そうすることによって、事後的に二次識別の結果の妥当性、又は、基礎とした記番号リストの妥当性を検証することが可能である。
【０１２１】
以上本発明の実施形態について説明したが、本発明は上記各実施形態に限定されるものではなく、本発明の趣旨を逸脱しない範囲で種々の変更が可能である。例えば、記番号リスト１００〜６００の１つを例に挙げて説明した処理と同様の処理を、記番号リスト１００〜６００の他の１つを用いて行ってもよい。
【０１２２】
また、紙葉類処理装置及び紙葉類処理システムは、紙幣処理装置及び紙幣処理システムに限定されず、小切手や伝票などの他の紙葉類を処理する装置及びシステムであってもよい。
【産業上の利用可能性】
【０１２３】
本発明は、紙葉類処理装置及び紙葉類処理システムとして好適に利用される。
【符号の説明】
【０１２４】
１、１Ａ、１Ｂ、１Ｃ、１Ｄ  紙幣処理装置
１０  処理部
１１  上部筐体
１２  入金部
１２ａ  入金口
１３  出金部
１３ａ  出金口
１４  リジェクト部
１４ａ  リジェクト口
１５  搬送部
１６、１６Ａ、１６Ｂ、１６Ｃ、１６Ｄ  識別部
１７、１７Ａ、１７Ｂ、１７Ｃ、１７Ｄ  一時保留部
１８  第１リジェクトボックス
１９、１９Ａ、１９Ｂ、１９Ｃ、１９Ｄ  制御部
２０  収納庫
２１  下部筐体
２２  第１収納部
２３  第２収納部
２４  第２リジェクトボックス
１００、２００、３００、４００、５００、１００Ａ、１００Ｂ、１００Ｃ、６００  記番号リスト
１０１、１０２、２０１、２０２、３０１、３０２、３０３、３０４、４０１、４０２、４０３、５０１、５０２、５０３、６０１、６０２、６０３、６０４  列  
２  紙幣処理システム
３  ネットワーク
【図１】
2019101867.tif 000006
【図２Ａ】
2019101867.tif 000007
【図２Ｂ】
2019101867.tif 000008
【図３】
2019101867.tif 000009
【図４】
2019101867.tif 000010
【図５】
2019101867.tif 000011
【図６】
2019101867.tif 000012
【図７Ａ】
2019101867.tif 000013
【図７Ｂ】
2019101867.tif 000014